(57)【要約】【課題】  計時専用のＩＣが発生する時間情報に基づいて測定結果と共に測定時の時間情報を保存する測定機器を、測定機器制御用ソフトウェアが動作するホストＰＣと接続し、この測定機器制御用ソフトウェアで測定時間情報を含む測定結果を管理する場合に測定時間情報の調整を行うことができる測定機器システムを提供する。【解決手段】  測定機器と測定機器制御用ソフトウェアが動作するホストＰＣが接続されたとき、双方の時間情報の時間差を算出し、その時間差と共に測定機器からの測定時間情報を含む測定結果を保存する。【選択図】  図１
2006343177.tif 000002
【特許請求の範囲】
【請求項１】
コンピュータが測定機器を制御する測定機器システムにおいて、前記コンピュータ内部において制御の基準となる第１基準時間と前記測定機器内部において制御の基準となる第２基準時間との時間差Ａを計測する第１計測手段と、前記時間差Ａに基づいて前記第１基準時間と前記第２基準時間との時間差を補正する第１補正手段と、を備えてなる測定機器システム。
【請求項２】
前記第１計測手段が前記コンピュータと一体に構成されてなる、請求項１に記載の測定機器システム。
【請求項３】
前記第１計測手段が前記測定機器と一体に構成されてなる、請求項１に記載の測定機器システム。
【請求項４】
前記時間差Ａを記憶する第１記憶手段を備えてなる、請求項１に記載の測定機器システム。
【請求項５】
前記第１記憶手段が前記コンピュータと一体に構成されてなる、請求項４に記載の測定機器システム。
【請求項６】
前記第１記憶手段が前記測定機器と一体に構成されてなる、請求項４に記載の測定機器システム。
【請求項７】
前記コンピュータが、前記測定機器により測定された測定値と前記測定値の測定時における前記第２基準時間とを記憶する第２記憶手段を備えてなる、請求項１に記載の測定機器システム。
【請求項８】
前記コンピュータが、前記時間差Ａに基づいて前記第２記憶手段に記憶された前記第２基準時間を前記第１基準時間に変換する変換手段と、前記変換手段により前記第２基準時間を変換した前記第１基準時間と前記測定値とを表示する表示手段と、を備えてなる、請求項７に記載の測定機器システム。
【請求項９】
請求項１に記載の測定機器システムを複数備えた測定機器システムにおいて、第１コンピュータまたは前記第１コンピュータ以外のコンピュータが、前記第１コンピュータの前記第１基準時間と前記第１コンピュータ以外のコンピュータの前記第１基準時間との時間差Ｂを計測する第２計測手段と、第１コンピュータの前記第１基準時間と前記第１コンピュータ以外のコンピュータの前記第１基準時間との時間差を前記時間差Ｂに基づいて補正する第２補正手段と、を備えてなる、測定機器システム。
【請求項１０】
前記時間差Ｂを記憶する第３記憶手段を備えてなる、請求項９に記載の測定機器システム。
【請求項１１】
前記時間差Ａが基準値以上であるときユーザーに前記時間差Ａが基準値以上であることを通知する通知信号を送出する第１送出手段を備えてなる、請求項１に記載の測定機器システム。
【請求項１２】
前記時間差Ｂが基準値以上であるときユーザーに前記時間差Ｂが基準値以上であることを通知する通知信号を送出する第２送出手段を備えてなる、請求項９に記載の測定機器システム。
【請求項１３】
前記第１計測手段がＷｅｂ上の基準時間発生装置が発する時間情報に基づいて前記時間差Ａを計測してなる、請求項１に記載の測定機器システム。
【請求項１４】
前記第２計測手段がＷｅｂ上の基準時間発生装置が発する時間情報に基づいて前記時間差Ｂを計測してなる、請求項９に記載の測定機器システム。
【発明の詳細な説明】
【技術分野】
【０００１】
本発明は、ホストＰＣが測定機器を制御するシステムにおける時間管理に関する。
【背景技術】
【０００２】
近年、糖尿病患者が利用する血糖計に代表されるＰＯＣＴ（ＰｏｉｎｔＯｆＣａｒｅＴｅｓｔｉｎｇ）装置が普及しつつある。このＰＯＣＴ装置は、患者検体を測定した場合、その測定結果のひとつとして測定処理実行時の測定時間情報を測定装置内に保存する。一般的な測定装置は、リアルタイムクロックなどの計時専用のＩＣが搭載されており、測定処理実行時の測定時間情報はこの計時専用ＩＣが発生する時間情報を基準に求められ、測定機器内に保存される。
【０００３】
更に、保存された複数の測定結果の時系列解析を行うことで、患者の診断に利用される。この時、測定装置内にある測定結果をホストＰＣに転送し、ホストＰＣ上で動作する測定機器を制御するソフトウェアにて、前述の測定結果の時系列解析およびその結果を視覚的に表示することが求められる。測定機器内の測定結果をホストＰＣに転送し、ホストＰＣ上で動作するソフトウェアで測定結果を管理・表示する場合において、測定機器内の基準時間情報とホストＰＣ上での基準時間情報とが異なる場合、どちらの基準時間情報を基に測定結果（測定時間）を管理すべきなのかという、管理上問題が生じる。
【０００４】
例えば、ホストＰＣが常時インターネットに接続されており、インターネット上のＮＴＰサーバーなどから標準時間を取得し、その標準時間を基にホストＰＣおよび測定装置の時間情報を校正するシステムがある（例えば特許文献１参照）。
このシステムを、図３を用いて説明する。
【０００５】
ネットワーク３０には複数の医療機器３１が接続され、さらに標準時刻出力装置３２が接続されている。この標準時刻出力装置３２は、標準時刻を出力する専用装置あるいは医療機器などである。標準時刻出力装置３２が有する標準時計３３に各医療機器３１が有する内部時計３７が合わせられ、これによって全ての内部時計３７が校正される。
【特許文献１】特開平１１−７４２８号公報
【発明の開示】
【発明が解決しようとする課題】
【０００６】
従来のシステムでは、標準時間出力装置と複数の医療機器がネットワークに接続されていることが前提となっている。しかしながら、現在主流となっているＰＯＣＴ装置などの測定装置は、必ずしもネットワークに接続されているとは限らず、スタンドアロン形式、すなわち測定機器単体で測定を実施する場合が往々にしてある。
更に、スタンドアロン形式で測定を行い、測定時間情報を伴う測定結果を測定装置内部の基準時間を基に保存した後で、その測定装置をホストＰＣと接続し、測定装置内の測定結果をホストＰＣに転送する場合において、測定装置内の基準時間とホストＰＣ内の基準時間が異なる場合、ホストＰＣ上で実行されるソフトウェア上で測定結果を管理する場合の測定時間の管理に問題が発生する。つまり、測定装置内の基準時間とホストＰＣ内の基準時間のどちらの基準時間をもとに、測定結果（測定時間）を管理するのかという問題が発生する。
【０００７】
本発明は、このような問題点を解決するためになされたものであり、ホストＰＣ上での測定結果（測定時間）の管理時に、測定機器の基準時間と、ホストＰＣの基準時間の差が発生した場合にも、適切な測定時間情報の管理が可能とした測定機器システムを提供することを目的とする。
【課題を解決するための手段】
【０００８】
前記課題を解決するために、本発明は、コンピュータが測定機器を制御する測定機器システムにおいて、前記コンピュータ内部において制御の基準となる第１基準時間と前記測定機器内部において制御の基準となる第２基準時間との時間差Ａを計測する第１計測手段と、前記時間差Ａに基づいて前記第１基準時間と前記第２基準時間との時間差を補正する第１補正手段と、を備えてなる。
【０００９】
さらに、本発明は、前記第１計測手段が前記コンピュータと一体に構成されてなる。
【００１０】
さらに、本発明は、前記第１計測手段が前記測定機器と一体に構成されてなる。
【００１１】
さらに、本発明は、前記時間差Ａを記憶する第１記憶手段を備えてなる。
【００１２】
さらに、本発明は、前記第１記憶手段が前記コンピュータと一体に構成されてなる。
【００１３】
さらに、本発明は、前記第１記憶手段が前記測定機器と一体に構成されてなる。
【００１４】
さらに、本発明は、前記コンピュータが、前記測定機器により測定された測定値と前記測定値の測定時における前記第２基準時間とを記憶する第２記憶手段を備えてなる。
【００１５】
さらに、本発明は、前記コンピュータが、前記時間差Ａに基づいて前記第２記憶手段に記憶された前記第２基準時間を前記第１基準時間に変換する変換手段と、前記変換手段により前記第２基準時間を変換した前記第１基準時間と前記測定値とを表示する表示手段と、を備えてなる。
【００１６】
さらに、本発明は、前記測定機器システムを複数備えた測定機器システムにおいて、第１コンピュータまたは前記第１コンピュータ以外のコンピュータが、前記第１コンピュータの前記第１基準時間と前記第１コンピュータ以外のコンピュータの前記第１基準時間との時間差Ｂを計測する第２計測手段と、第１コンピュータの前記第１基準時間と前記第１コンピュータ以外のコンピュータの前記第１基準時間との時間差を前記時間差Ｂに基づいて補正する第２補正手段と、を備えてなる。
【００１７】
さらに、本発明は、前記時間差Ｂを記憶する第３記憶手段を備えてなる。
【００１８】
さらに、本発明は、前記時間差Ａが基準値以上であるときユーザーに前記時間差Ａが基準値以上であることを通知する通知信号を送出する第１送出手段を備えてなる。
【００１９】
さらに、本発明は、前記時間差Ｂが基準値以上であるときユーザーに前記時間差Ｂが基準値以上であることを通知する通知信号を送出する第２送出手段を備えてなる。
【００２０】
さらに、本発明は、前記第１計測手段がＷｅｂ上の基準時間発生装置が発する時間情報に基づいて前記時間差Ａを計測してなる。
【００２１】
さらに、本発明は、前記第２計測手段がＷｅｂ上の基準時間発生装置が発する時間情報に基づいて前記時間差Ｂを計測してなる。
【発明の効果】
【００２２】
本発明の測定機器システムによれば、スタンドアロン形式およびホストＰＣ接続形式の双方の形式が可能な測定機器において、測定機器がホストＰＣと接続され、ホストＰＣ上で動作する測定機器制御用ソフトウェアにて測定結果（測定時間）を管理する場合、測定機器の基準時間と、ホストＰＣの基準時間の差が発生した場合にも、適切な測定時間情報の管理が可能とした測定機器システムを提供することができる。
【発明を実施するための最良の形態】
【００２３】
以下に、本発明の測定機器システムの実施の形態を図面とともに詳細に説明する。
【実施例１】
【００２４】
図１は、本発明の実施例１における測定機器システムの実施形態の一例を示す図である。
【００２５】
図１において、ホストＰＣ１０は、測定機器１４を制御する測定機器制御用ソフトウェア１１（以下、ソフトウェア）、現在時間を管理する基準時間発生器Ａ１２および測定結果などを保存するメモリＡ１３などから構成される。
【００２６】
一方、測定機器１４内は、リアルタイムクロックなどの計時用ＩＣから構成される基準時間発生器Ｂ１５、測定結果などを保存するメモリＢ１６などから構成される。
【００２７】
測定機器１４では、ユーザーの操作に従って測定処理が実行され、その測定結果をメモリＢ１６に保存する時に、測定結果と共に基準時間発生器Ｂ１５から測定処理実行時の測定時間情報を取得し合わせてメモリＢ１６に保存する（尚、以降において、測定結果とは測定時間情報を含むものとする）。すなわち、測定機器１４内に保存される測定結果にふくまれる測定時間情報は、測定機器１４内の基準時間発生器Ｂ１５基準である。
【００２８】
このような測定処理を繰り返すことにより、測定装置１４内のメモリＢ１６には、測定結果が蓄積されていく。この時、測定機器１４はスタンドアロン（ホストＰＣ１０と接続されていない単体）形式で測定されても、ホストＰＣ１０と接続されている形式で測定されてもどちらでもよいし、スタンドアロン形式で数回測定したあとホストＰＣ１０と接続し数回測定してもよい。つまり測定時の接続形式は問わない（図１は測定装置１４とホストＰＣ１０が接続されているときの例を示す）。
【００２９】
また、測定機器１４とホストＰＣ１０を接続し、ホストＰＣ１０上でソフトウェア１１が実行されたとき、ソフトウェア１１から測定機器１４に対して、測定機器１４内の基準時間発生器Ｂ１５によって発生される基準時間情報Ｂを要求し取得する。次にホストＰＣ１０内の基準時間発生器Ａ１２から発生される基準時間情報Ａを取得し、基準時間情報Ａと基準時間情報Ｂとの時間差を計算し、その時間差情報をホストＰＣ１０に付属するメモリＡ１３に保存する。
【００３０】
或いは、測定機器１４からソフトウェア１１に対して、ホストＰＣ１０内の基準時間情報Ａを要求／取得し、測定機器１４内の基準時間情報Ｂとの時間差を計算し、その時間差を測定装置１４内のメモリＢ１６に保存しても良い。更には、演算した時間差情報を接続先のホストＰＣ１０或いは測定装置１４に送信し、接続先のメモリＡ１３或いはメモリＢ１６に保存しても良い。
【００３１】
この時、この時間差が所定の範囲以上である場合、ホストＰＣ１０内のユーザーインターフェイス（図示せず）を使用して、測定機器１４とホストＰＣ１０との基準時間に時間差が発生したことをユーザーに通知することも可能である。
【００３２】
その後、ホストＰＣ１０上で実行されるソフトウェア１１から測定機器１４に対して、測定結果情報を要求し取得する。このようにして、測定装置１４内の複数の測定結果情報を、ホストＰＣ１０上で実行されるソフトウェア１１で取得する。
【００３３】
ソフトウェア１１では、ユーザーから複数の測定結果の時系列解析処理を含めた測定結果情報の表示の要求があった場合、測定結果のうちの測定時間情報に対して予め算出した時間差情報との演算を行い、測定機器１４内の基準時間発生器Ｂ１５基準であった測定時間情報を、ホストＰＣ１０内の基準時間情報Ａに基づいた時間情報に測定時間情報を変換し、表示を行う。
【００３４】
以上のように、本実施例１においては、測定機器１４にて測定処理が実施されたとき、測定結果として測定機器１４内の時間を基準にした測定時間情報を含めて測定機器１４内に保存しておき、更に測定機器１４内の基準時間情報ＢとホストＰＣ１０内での基準時間情報Ａとの時間差の情報を予め演算することにより、ホストＰＣ１０上で実行されるソフトウェアにおいて測定結果を表示する場合に、ホストＰＣ１０上での基準時間情報に統一することが可能となる。
【００３５】
尚、上記の実施例１の説明ならびにその説明に用いた図１では、ホストＰＣ１台に対して測定機器が１台接続されていることを例に挙げたが、ホストＰＣ１台に対して測定機器が複数台接続されていても良い。
【実施例２】
【００３６】
図２は、本発明の実施例２における測定機器システムの接続形態の一例を示す図である。
図２において、ホストＰＣ（Ａ）２０は、測定機器Ａ２２を制御する測定機器制御用ソフトウェアＡ２１などから構成され、ホストＰＣ（Ａ）２０と測定機器Ａ２２は接続されている。ホストＰＣ（Ｂ）２３は、測定機器Ｂ２５を制御する測定機器制御用ソフトウェアＢ２４などから構成され、ホストＰＣ（Ｂ）２３と測定機器Ｂ２５は接続されている。更に、ホストＰＣ（Ａ）２０とホストＰＣ（Ｂ）２３も接続されている。実施例１の              構成と異なるところは、ホストＰＣ同士が接続されているところにある。
【００３７】
実施例１で説明したように、ホストＰＣ（Ａ）２０は接続されている測定機器Ａ２２から測定時間情報を含む測定結果を取得し保存する。同じくホストＰＣ（Ｂ）２３は接続されている測定機器Ｂ２５から測定時間情報を含む測定結果を取得し保存する。ここまでの説明は、実施例１と同様である。
【００３８】
次に、ホストＰＣ（Ａ）２０とホストＰＣ（Ｂ）２３が接続された状態において、それぞれのホストＰＣ上でソフトウェアが実行される時に、いずれかのソフトウェアのうちの１つのソフトウェアをマスターと設定し、残りのソフトウェアをスレーブと設定する。尚マスターとなるソフトウェアは任意であるため、複数のソフトウェア通信時に何らかの方法で自動的に決定しても良い。
【００３９】
ここでは、ソフトウェアＡ２１をマスター、ソフトウェアＢ２４をスレーブとして以下に説明を行う。マスター（ソフトウェアＡ２１）はスレーブ（ソフトウェアＢ２４）の基準時間情報Ｂを要求し取得する。更にマスター（ソフトウェアＡ２１）は自己の基準時間情報Ａと基準時間情報Ｂとの時間差を計算し、ホストＰＣ（Ａ）内のメモリ（図示せず）に保存する。
【００４０】
或いは、スレーブ（ソフトウェアＢ２４）がマスター（ソフトウェアＡ２１）の基準時間情報Ａを要求し取得するようにし、スレーブ（ソフトウェアＢ２４）が自己の基準時間情報Ｂと基準時間情報Ａとの時間差を計算し、ホストＰＣ２３内のメモリ（図示せず）に保存しても良い。更には、演算した時間差情報を接続先のホストＰＣ上に送信し、メモリ（図示せず）内に保存してもよい。
【００４１】
この時、この時間差が所定の範囲以上である場合、ホストＰＣ（Ａ）２０或いはホストＰＣ（Ｂ）２３内のユーザーインターフェイス（図示せず）を使用して、マスターとスレーブとの基準時間に時間差が発生することをユーザーに通知することも可能である。
次にマスター（ソフトウェアＡ２１）或いはスレーブ（ソフトウェアＢ２４）にて、ユーザーからの測定結果の表示要求があった場合、保存している測定結果に含まれる測定時間情報に対して予め算出した時間差情報との演算を行い、マスター（ソフトウェアＡ２１）内の基準時間に基づいた時間情報に測定時間情報を変換し、表示を行う。
【００４２】
以上のように、本実施例２においては、複数のホストＰＣが接続された場合に、それら複数のホストＰＣ間の時間差情報を算出し、それぞれのホストＰＣ内で実行されるソフトウェアが管理する測定時間情報を含む測定結果を表示する際に、マスターとなるソフトウェアが実行されるホストＰＣ内の基準時間情報に統一して、各ホストＰＣ上での測定結果の表示が可能となる。
【００４３】
尚、上記の実施例２の説明ならびにその説明に用いた図２では、２台のホストＰＣが接続されていることを例に挙げたが、３台以上のホストＰＣが接続されていてもよい。その場合、マスターとなるソフトウェアは１つでその他のソフトウェアはスレーブとなるような構成にする。
【００４４】
また、複数のホストＰＣのうちの１台がＷｅｂ接続されておりＷｅｂ上の基準時間発生装置から基準時間の取得が可能な場合は、その基準時間に合わせて自己の基準時間を補正した後、上記実施例２で示す各ホストＰＣ間の時間差演算を行うようにしても良い。
【産業上の利用可能性】
【００４５】
本発明にかかる測定機器システムは、測定機器内の基準時間と、ホストＰＣの基準時間に時間差がある場合においても、一意的に測定時間情報を表示可能となり、スタンドアロン形式およびホストＰＣ接続形式の双方の形式が可能な測定機器において、ホストＰＣ上での測定結果（測定時間情報）の管理において有用である。
【００４６】
本発明にかかる測定機器システムは、測定機器内の基準時間と、ホストＰＣの基準時間に時間差がある場合においても、一意的に測定時間情報を表示可能となり、スタンドアロン形式およびホストＰＣ接続形式の双方の形式が可能な測定機器において、ホストＰＣ上での測定結果（測定時間情報）の管理が必要な、医療用測定装置などにも適用できる。
【図面の簡単な説明】
【００４７】
【図１】実施例１における測定機器システムの接続図
【図２】実施例２における測定機器システムの接続図
【図３】従来の医療機器ネットワークシステムの接続図
【符号の説明】
【００４８】
１０  ホストＰＣ
１１  測定機器制御用ソフトウェア
１２  基準時間発生器Ａ
１３  メモリＡ
１４  測定機器
１５  基準時間発生器Ｂ
１６  メモリＢ
２０  ホストＰＣ（Ａ）
２１  測定機器制御用ソフトウェアＡ
２２  測定機器Ａ
２３  ホストＰＣ（Ｂ）
２４  測定機器制御用ソフトウェアＢ
２５  測定機器Ｂ
３０  ネットワーク
３１  医療機器
３２  標準時刻出力装置
３３  標準時計
３４  通信部
３５  制御部
３６  計測部
３７  内部時計
３８  時間校正部
【図１】
2006343177.tif 000003
【図２】
2006343177.tif 000004
【図３】
2006343177.tif 000005